(57)【要約】  本発明は、本質的に、その下部が、搬送される製品を案内し、推進するためのレール（２）を形成する管状チャネル（１）を備える空気コンベアに関する。本発明のコンベアは、管状チャネル（１）が、一定の間隔で、加圧空気導管（４）および電気配線（５）を案内および支持するための手段（６）を備えることと、案内および支持手段（６）上にクリック係止することができ、対応する縁部とカバーの側面の間に隙間（８）を有する管状チャネル（１）の縁部をカバーするカバー（７）を特徴とする。本発明は、空気コンベアによる荷の搬送を含む分野で使用するのに特に適している。【選択図】      なし
2009506960.tif 000002
【特許請求の範囲】
【請求項１】
搬送される製品を案内および推進するためのトラック（２）を下部で形成する管状チャネル（１）から本質的に構成される空気コンベアまたは搬送装置において、前記案内および推進トラック（２）が、一方では、一定の間隔で、製品の搬送方向に加圧空気を排出するためのノズルを備え、他方では、その下部の両側に、前記案内および推進トラック（２）内に製品の上部を維持するための手段（３）を備え、前記管状チャネル（１）には、対応する加圧空気導管（４）により加圧空気が供給され、さらに、電気配線（５）により中央制御装置にリンクしているセンサまたは他の装置の形の制御手段を備え、前記管状チャネル（１）上に一定の間隔で、前記加圧空気導管（４）および前記電気配線（５）の案内および支持手段（６）を備えることと、前記案内および支持手段（６）上にクリック係止することができ、前記管状チャネル（１）の対応する縁部とカバーの側面の間に隙間（８）を維持しながら前記管状チャネルの前記縁部をカバーするカバー（７）を備えることとを特徴とする空気コンベアまたは搬送装置。
【請求項２】
前記加圧空気導管（４）および前記電気配線（５）用の前記案内および支持手段（６）が、前記管状チャネル（１）の幅より広い幅の整形した部分の形をし、該整形した部分が、前記管状チャネル（１）の上部上を延びる係止要素（９）との協働により、またはネジによる前記上部に固定することにより、前記チャネル（１）の前記上部に固定されることを特徴とする、請求項１に記載の空気コンベアまたは搬送装置。
【請求項３】
前記加圧空気導管（４）および前記電気配線（５）の前記案内および支持手段（６）が、少なくとも１つのサブ分割部分（６’）を横切って位置し、その側縁部が、外部に開き、前記カバー（７）の対応する側縁部の少なくとも１つの対応する係止リブ（７’）と協働するように設計されるフック（６”）の形で終わる断面を有する垂直フランジの形をしていることを特徴とする、請求項１および２に記載の空気コンベアまたは搬送装置。
【請求項４】
前記加圧空気導管（４）および前記電気配線（５）の前記案内および支持手段（６）は、その側縁部の垂直フランジの端部であって前記カバー（７）の内部幅と等しい端部に位置する前記フック（６”）の外縁部間の幅を有し、この幅と前記管状チャネル（１）の幅との間の違いが、加圧空気導管（４）または電気配線（５）の断面の幅の２倍に少なくとも等しいことを特徴とする、請求項１から３のいずれかに記載の空気コンベアまたは搬送装置。
【請求項５】
前記カバー（７）が、協働する端部を備えること、すなわち、これらのカバー（７）が、端部に膨らみ（７”）を備え、該膨らみ（７”）は、作動位置にある場合に、前記カバー（７）の断面に対応する先行するカバーの隣接する端部をカバーするように設計され、その断面は、その残りの長さにわたって、前記カバー（７）の断面に対応することを特徴とする、請求項１、３および４のいずれかに記載の空気コンベアまたは搬送装置。
【請求項６】
前記加圧空気導管（４）および前記電気配線（５）の前記案内および支持手段（６）ならびに前記カバー（７）が、成形、押出しまたは他の方法で得られる弾性により変形可能な硬質の材料で実施されることを特徴とする、請求項１から５のいずれかに記載の空気コンベアまたは搬送装置。
【発明の詳細な説明】
【技術分野】
【０００１】
本発明は、空気コンベアまたは搬送装置により荷を搬送する分野に関するものであって、その目的とするところは、その上部がケーブルおよび導管用の通路を形成する上記のような空気コンベアまたは搬送装置である。
【背景技術】
【０００２】
空気コンベアまたは搬送装置は、一般に、該コンベアまたは搬送装置トラック内を加圧空気の作用により案内される比較的軽量の製品を、トラック内の製品の案内の位置で移動させるために設計される。
【０００３】
この目的のために、空気コンベアまたは搬送装置は、その下部で、搬送される製品のための案内トラックを形成する管状チャネルの形に作られる。上記トラックは、一方では、製品の搬送方向に一定の間隔で加圧空気ノズルを備え、他方では、トラックの下で、上記トラック内に製品の上部を維持するための手段を備える。管状チャネルには、対応する導管により加圧空気が供給され、さらに、電気配線により中央制御装置にリンクしている、センサや他の装置の形の制御手段を備える。
【０００４】
現在、これらの空気導管および電気配線は、管状チャネル上を延びるダクト内に配置され、その上にクリップ止めされているカバーのところで閉じられている。管状チャネルに空気を供給するために、空気導管は、一定の間隔でダクトを横切り、上記管状チャネルと接続する。センサまたは類似の装置の設置を必要とする各位置の近傍でダクトを横切る電気配線の場合も同様である。
【０００５】
この方法は、ダクト内に予め孔を開けておかなければならないし、プラグにより余分な孔を閉じておかなければならないので、加圧空気導管および電気配線の配置を事前にかなり正確に考慮しなければならないので、そのコンセプトおよび実施がかなり制限されるという欠点がある。
【０００６】
さらに、追加の接続部の任意の新たな設置、または導管または配線の一部の除去を行うには、自動的に、対応する通路内での比較的大規模の孔開け作業が必要になり、このこともこれらの空気コンベアまたは搬送装置の外観にマイナスの影響がある。
【０００７】
さらに、これらの周知のダクトにおいては、空気導管および電気配線は、一般に、特定の案内なしでランダムに配置されるので、保守を担当するオペレータは、修理しなければならない導管および配線を迅速に識別しなければならないという問題に当面することになる。
【発明の開示】
【発明が解決しようとする課題】
【０００８】
本発明の目的は、特定のツールまたは任意の開口部の追加の閉鎖手段による動作を必要としない、加圧空気導管または電気配線を迅速に交換することができる空気コンベアまたは搬送装置を提案することにより、上記欠点を解決することである。
【課題を解決するための手段】
【０００９】
この目的のために、本発明による空気コンベアまたは搬送装置は、本質的には、その下部で、搬送される製品を案内および推進するためのトラックを形成する管状チャネルから構成され、上記案内および推進トラックが、一方では、製品の搬送方向に一定の間隔で加圧空気ノズルを備え、他方では、その下部の両側に、上記案内および推進トラック内に製品の上部を維持するための手段を備え、上記管状チャネルには、対応する加圧空気導管により加圧空気が供給され、さらに電気配線により中央制御装置にリンクしている、センサまたは他の装置の形の制御手段を備え、管状チャネル上に一定の間隔で、加圧空気導管および電気配線を案内および支持するための手段を備えることと、上記案内および支持のための手段上にクリック係止することができ、管状チャネルの対応する縁部とカバーの側面の間に隙間を維持しながら、管状チャネルの上記縁部をカバーするカバーを備えることとを特徴とする。
【００１０】
添付の図面を参照しながら、本発明を制限するものではない好ましい実施形態についての下記の説明を読めば本発明をよりよく理解することができるだろう。
【発明を実施するための最良の形態】
【００１１】
添付の図面の図１および図２に、例示として、本質的には、その下部において搬送する製品を案内および推進するためのトラック２を形成している管状チャネル１から構成される空気コンベアまたは搬送装置を示す。上記案内および推進トラック２は、一方では、一定の間隔で、製品の搬送方向に加圧空気を排出するためのノズル（図示せず）を備え、他方では、その下部の両側に、上記案内および推進トラック２内に製品の上部を維持するための手段３を備える。上記管状チャネル１には、対応する加圧空気導管４により加圧空気が供給され、さらに、電気配線５により中央制御装置にリンクしているセンサまたは他の装置（図示せず）の形をしている制御手段を備える。
【００１２】
周知の方法で、管状チャネル１は、同一セクションの気密組立体により有利に実施される。さらに、案内および推進トラック２ならびに手段３により搬送中の製品の支持体の機能については記述されないが、通常の当業者であればこれらを知っている。この場合には、本発明による空気コンベアまたは搬送装置は、本質的には、ビンを該ビンの首の位置で案内することによりビン詰めユニットの方向に上記ビンを搬送するように設計され、加圧空気による推進も同様に、上記案内装置上で上記ビンの首の位置で行われる。
【００１３】
本発明によれば、この空気コンベアまたは搬送装置は、管状チャネル１上に、一定の間隔で、加圧空気導管４および電気配線５の案内および支持手段６を備え、また上記案内および支持手段６上にクリック係止することができ、管状チャネル１の対応する縁部とその側面の間に隙間８を維持しながら、上記縁部をカバーするカバー７を備える。管状チャネル１の縁部と各カバー７の側面との間に形成される隙間８は、加圧空気導管４および電気配線５が通ることができるように設計される。それ故、後者は、各設置のニーズにより決まる任意の場所で、チャネル１上で加圧空気導管４および電気配線５用のスペースから出ることができる。
【００１４】
加圧空気導管４および電気配線５の案内および支持手段６は、有利には、管状チャネル１の幅より広い幅の整形した部分の形で提示される。これらの整形した部分は、管状チャネル１の上部上を延びる係止要素９との協働により、またはネジにより上記上部に固定することにより上記チャネル１の上部に固定される。
【００１５】
好適には、加圧空気導管４および電気配線５の案内および支持手段６は、少なくとも１つのサブ分割部分６’を横切って位置し、その側縁部は、垂直フランジの形をしており、該フランジは、カバー７の対応する側縁部の少なくとも１つの対応する係止リブ７’と協働するように設計される外部に開くフック６”の形で終わる断面を有することが好ましい。
【００１６】
加圧空気導管４および電気配線５の案内および支持手段６は、有利には、カバー７の内部幅と等しい側縁部の垂直フランジの端部に位置するフック６”の外縁部間の幅を有し、この幅と管状チャネル１の幅との間の違いは、加圧空気導管４および電気配線５の断面の幅の２倍に少なくとも等しい。
【００１７】
加圧空気導管４および電気配線５の案内および支持手段６の側縁部を形成している垂直フランジ間に位置するサブ分割部６’は、一方では、加圧空気導管４および電気配線５の縦方向の案内および支持を確実に行い、他方では、必要な場合には、対応するカバー７に対する縦方向の支持を保証し、それ故、係止リブ７’間のカバー７上部への負荷や張力の下の偶発的応力によるカバー７の任意の変形を回避し、これにより案内および支持手段６上での上記カバー７の一定の支持を確保する。
【００１８】
異なるカバー７は、有利には、協働する端部を備える。すなわち、これらのカバーは、膨らみ７”を備える端部となっている。該膨らみ７”は、作動位置にある場合に、先行するカバーの隣接する端部をカバーするように設計され、その断面は、その残りの長さにわたり、上記カバー７の断面に対応する。それ故、カバー７が置かれた場合、新しい各カバーの一方の端部内の膨らみ７”は、先行するカバーの他方の端部上にフィットし、それによりジョイントのところで確実に気密状態になる。
【００１９】
加圧空気導管４および電気配線５の案内および支持段６ならびにカバー７は、成形、押出しまたは他の方法で得られる弾性により変形可能な硬質の材料で実現することができる。案内および支持手段６は、例えば、押出し形状要素の以降の切断により実現することができる。この手段６の幅は、管状チャネル１およびカバー７の寸法により決まる。
【００２０】
管状チャネル１の幅より広い幅の案内および支持手段６およびカバー７を使用することにより、加圧空気導管４および電気配線５を、カバー７内に全く孔を開けることなしに、このように形成したダクトの外側の任意の場所に容易に案内することができる。そのため、設置する人は、設置が非常に楽になる。何故なら、加圧空気導管４および電気配線５が通るどの点でも妨害を受けないからである。
【００２１】
さらに、カバー７の側面と管状チャネル１の壁部との間で加圧空気導管４および電気配線５をこのように案内することができるので、このように実施したコンベアまたは搬送装置の外観もはっきりと改善される。何故なら、すべての孔開けが必要なくなり、当然、不必要な孔の閉鎖ももはや必要なくなるからである。
【００２２】
最後に、設置時、または事前の孔開けによる小規模の機械工作作業が必要なくなるので、このような空気コンベアまたは搬送装置のオーバーヘッド・コストを低減することができる。
【００２３】
もちろん、本発明は、上記および添付の図面に示す実施に限定されない。特に、本発明の範囲から逸脱することなしに、種々の要素を設置することにより、または代わりに等価の技術を使用することにより種々の修正を行うことができる。
【図面の簡単な説明】
【００２４】
【図１】本発明によるコンベアの断面図である。
【図２】図１のコンベアの斜視図である。
【図１】
2009506960.tif 000003
【図２】
2009506960.tif 000004
【国際調査報告】
2009506960.tif 000005
2009506960.tif 000006
2009506960.tif 000007
2009506960.tif 000008